(57)【要約】【課題】本発明は、Ｘ線撮影手段の有効受像面高さを必要最小限な高さに保ちつつ大きな顎の患者の場合においても被曝量の増大を招くことなく歯列及び左右の顎関節を的確に含めた一連のパノラマ画像を取得できるようなデジタルパノラマＸ線撮影装置及び歯科用ＣＴ装置を提供する。【解決手段】本発明は、被検者Ｍに向けてＸ線を照射するＸ線源３と、  被検者Ｍを通過したＸ線を検出し撮影するＸ線撮影手段４と、  被検者Ｍの周りに前記Ｘ線源３、Ｘ線撮像手段４を一体的に有する旋回アーム５とを有した撮影系２と、旋回アーム５を旋回させるための旋回手段７を有し支柱部６に対し昇降可能なスライド本体部８と、を有するデジタルパノラマＸ線撮影装置１において、スライド本体部８とは一体でない被検者位置付台１１と、スライド本体部８との高さ方向の相対位置を変えて一連のパノラマ画像を撮影する構成としたものである。【選択図】図１
2015188611.tif 000002
【特許請求の範囲】
【請求項１】
被検者に向けてＸ線を照射するＸ線源と、被検者を通過したＸ線を検出したＸ線を検出し撮影するＸ線撮影手段と、被検者の周りに前記Ｘ線源、Ｘ線撮像手段を一体的に有する旋回アームと、を有した撮影系を含むデジタルパノラマＸ線撮影装置及び歯科用ＣＴ装置であって、
前記旋回アームと、被検者位置とを高さ方向に対して相対的に可変可能な構造とし、
顎関節領域撮影と、歯列領域撮影とで相対位置を変えて一連のパノラマ画像を撮影可能としたことを特徴とするデジタルパノラマＸ線撮影装置及び歯科用ＣＴ装置。
【請求項２】
被検者に向けてＸ線を照射するＸ線源と、被検者を通過したＸ線を検出したＸ線を検出し撮影するＸ線撮影手段と、被検者の周りに前記Ｘ線源、Ｘ線撮像手段を一体的に有する旋回アームとを有した撮影系と、
前記旋回アームを旋回させるための旋回手段を有し支柱部に対し昇降可能なスライド本体部と、
を有するデジタルパノラマＸ線撮影装置及び歯科用ＣＴ装置において、
前記スライド本体部とは一体でない被検者位置付台と、スライド本体部との高さ方向の相対位置を変えて一連のパノラマ画像を撮影可能としたことを特徴とするデジタルパノラマＸ線撮影装置及び歯科用ＣＴ装置。
【請求項３】
被検者に向けてＸ線を照射するＸ線源と、被検者を通過したＸ線を検出したＸ線を検出し撮影するＸ線撮影手段と、被検者の周りに前記Ｘ線源、Ｘ線撮像手段を一体的に有する旋回アームと、を有した撮影系を含むデジタルパノラマＸ線撮影装置及び歯科用ＣＴ装置であって、
前記旋回アームと、被検者位置とを高さ方向に対して相対的に可変可能な構造とし、顎関節領域撮影と歯列領域撮影での相対的な高さを段階的に変化、又は連続的に変化させる撮影モードを有することを特徴とするデジタルパノラマＸ線撮影装置及び歯科用ＣＴ装置。
【請求項４】
被検者に向けてＸ線を照射するＸ線源と、被検者を通過したＸ線を検出したＸ線を検出し撮影するＸ線撮影手段と、被検者の周りに前記Ｘ線源、Ｘ線撮像手段を一体的に有する旋回アームとを有した撮影系と、
前記旋回アームを旋回させるための旋回手段を有し支柱部に対し昇降可能なスライド本体部と、
前記スライド本体部の昇降量を算出するスライド本体部昇降量算出部と、
を有するデジタルパノラマＸ線撮影装置及び歯科用ＣＴ装置において、
前記Ｘ線撮影手段にて取得した画像データを基に、前記スライド本体部昇降量算出部の算出結果を用い、顎関節領域撮影と、歯列領域撮影との各区間に応じてスライド本体部を上下方向にずらしながらパノラマ画像構築を行うことを特徴とするデジタルパノラマＸ線撮影装置及び歯科用ＣＴ装置。
【請求項５】
撮影前に顎関節領域が被検者の撮影領域に入るか否かを確認するための位置確認手段を設けたことを特徴とする請求項１乃至４のいずれかに記載のデジタルパノラマＸ線撮影装置及び歯科用ＣＴ装置。
【請求項６】
前記位置確認手段がレーザビームであることを特徴とする請求項５記載のデジタルパノラマＸ線撮影装置及び歯科用ＣＴ装置。
【請求項７】
前記位置確認手段が被検者の顔画像を撮影するカメラであることを特徴とする請求項５記載のデジタルパノラマＸ線撮影装置及び歯科用ＣＴ装置。
【発明の詳細な説明】
【技術分野】
【０００１】
本発明は、デジタルパノラマＸ線撮影装置及び歯科用ＣＴ装置に関し、詳しくは、Ｘ線撮影手段における特にＸ線検出器の高さ方向の寸法削減と患者のＸ線被曝量の軽減を図ったデジタルパノラマＸ線撮影装置及び歯科用ＣＴ装置に関するものである。
【背景技術】
【０００２】
従来、例えばパノラマＸ線画像撮影装置において患者の歯列、顎関節を一連のパノラマ画像として撮影した場合、患者の顎の大きさによっては、顎関節頭がパノラマ画像の取得領域から外れ、観察できなくなるという不都合な事態が生じていた。
【０００３】
このような不都合を回避する手段として、透過Ｘ線像の受像面が大きい（受像面の高さ寸法が大きい）Ｘ線センサーを使用してＸ線照射領域を拡大する、患者の位置付けを変更する、チンレストを下げた位置で撮影し、患者の顎下端部の画像は犠牲にする等の対策が考えられる。
【０００４】
しかし、Ｘ線センサーを寸法の大きいものに変更してＸ線照射領域を拡大する場合には、それだけ患者に加わるＸ線被曝量を増やすことになり、患者の負担が増大する。また高価なＸ線センサーを必要とする。さらに、患者の位置付けを変更する場合には、術者に煩雑な位置付け変更操作を要求することになる。
【０００５】
さらに、チンレストを下げた位置で撮影する場合には患者の顎下端部領域の画像が取得できず、歯列の一部が欠ける等、完全なパノラマＸ線画像を構成できず診断に支障が生じてしまうため再撮影の必要性が発生し無効被曝につながる。
このような従来技術の問題点は、デジタルパノラマＸ線撮影装置の他に、デジタルパノラマ画像撮影機能を有する歯科用ＣＴ装置においても同様である。
【０００６】
特許文献１には、Ｘ線発生器と２次元Ｘ線検出器とを被写体を挟んで対向させて支持する支持部と、前記Ｘ線発生器から発生したＸ線の照射領域を規制する照射野規制部と、前記照射野規制部で規制された前記Ｘ線をＸ線ビームとして前記被写体に対して走査させてＸ線断層撮影を行わせる走査駆動部と、前記走査方向と交差する方向を高さ方向とし、被写体の診断すべき部位を関心領域として特定する操作を受付けて、前記Ｘ線ビームの前記高さ方向の広がりの両端の位置の少なくとも一方を前記高さ方向に移動させて、前記関心領域のみに前記Ｘ線照射領域を可変設定するための照射領域設定部と、画像処理部とを備え、被写体の歯列、顎関節を含むＸ線透化画像、パノラマ画像を作成する医療用Ｘ線撮影装置が開示されている。
【０００７】
しかし、この医療用Ｘ線撮影装置の場合、Ｘ線発生器、２次元Ｘ線検出器からなる撮影系と、被写体との相対位置を変更させることなく、Ｘ線発生器からのＸ線ビームをコリメータ機構により被写体に対する撮影領域に応じて上下に変更してＸ線透化画像、さらにはパノラマ画像を得る構成であり、このため、２次元Ｘ線検出器として上下方向の寸法に余裕のある大きなもの、すなわち、受像面積の大きく高価な２次元Ｘ線検出器を必要とすることになる。
【先行技術文献】
【特許文献】
【０００８】
【特許文献１】特開２０１１−１５２４１１号公報
【発明の概要】
【発明が解決しようとする課題】
【０００９】
本発明が解決しようとする問題点は、Ｘ線撮影手段の有効受像面高さを必要最低限な高さに保ちつつ大きな顎の患者の場合においても被曝量の増大を招くことなく歯列及び左右の顎関節を的確に含めた一連のパノラマ画像を取得できるようなデジタルパノラマＸ線撮影装置及び歯科用ＣＴ装置が存在しない点である。
【課題を解決するための手段】
【００１０】
本発明は、被検者に向けてＸ線を照射するＸ線源と、被検者を通過したＸ線を検出したＸ線を検出し撮影するＸ線撮影手段と、被検者の周りに前記Ｘ線源、Ｘ線撮像手段を一体的に有する旋回アームと、を有した撮影系を含むデジタルパノラマＸ線撮影装置及び歯科用ＣＴ装置であって、前記旋回アームと、被検者位置とを高さ方向に対して相対的に可変可能な構造とし、顎関節領域撮影と、歯列領域撮影とで相対位置を変えて一連のパノラマ画像を撮影可能としたことを最も主要な特徴とする。
【発明の効果】
【００１１】
請求項１記載の発明によれば、Ｘ線源、Ｘ線撮影手段を保持した旋回アームと、被検者位置とを高さ方向に対して相対的に可変して、被検者の高さ位置が異なる顎関節領域と、歯列領域とのＸ線撮影を行い、顎関節領域、歯列領域が連なる一連のパノラマ画像を作成するように構成しているので、Ｘ線撮影手段の有効受像面高さを必要最低限な高さに保ちつつ大きな頭部又は大きな顎の患者の場合においても被曝量の増大を招くことなく歯列及び左右の顎関節を的確に含めた一連のパノラマ画像を得ることができるデジタルパノラマＸ線撮影装置及び歯科用ＣＴ装置を提供することができる。
【００１２】
請求項２記載の発明によれば、被検者の周りに前記Ｘ線源、Ｘ線撮像手段を一体的に有する旋回アームとを有した撮影系と、前記旋回アームを旋回させるための旋回手段を有し支柱部に対し昇降可能なスライド本体部と、前記スライド本体部とは一体でない被検者位置付台と備え、被検者位置付台と、スライド本体部との高さ方向の位置を相対的に変えて被検者の高さ位置が異なる顎関節領域と、歯列領域とのＸ線撮影を行い、顎関節領域、歯列領域が連なる一連のパノラマ画像を作成するように構成しているので、大きな頭部又は大きな顎を有する患者の場合においても被曝量の増大を招くことなくＸ線撮影手段の有効受像面高さを必要最低限な高さに保ちつつ歯列及び左右の顎関節を的確に含めた一連のパノラマ画像を得ることができるデジタルパノラマＸ線撮影装置及び歯科用ＣＴ装置を提供することができる。
【００１３】
請求項３記載の発明によれば、被検者に向けてＸ線を照射するＸ線源と、被検者を通過したＸ線を検出したＸ線を検出し撮影するＸ線撮影手段と、被検者の周りに前記Ｘ線源、Ｘ線撮像手段を一体的に有する旋回アームと、を有した撮影系を含むデジタルパノラマＸ線撮影装置及び歯科用ＣＴ装置であって、前記旋回アームと、被検者位置とを高さ方向に対して相対的に可変可能な構造とし、顎関節領域撮影と歯列領域撮影での相対的な高さを段階的に変化、又は連続的に変化させる撮影モードを有する構成としているので、大きな頭部又は大きな顎を有する患者の場合においても被曝量の増大を招くことなくＸ線撮影手段の有効受像面高さを必要最低限な高さに保ちつつ被検者Ｍの実際の右顎関節、歯列、左顎関節の配置に対応する配置とした歯列及び左右の顎関節を的確に含めた一連のパノラマ画像を得ることができるデジタルパノラマＸ線撮影装置及び歯科用ＣＴ装置を提供することができる。
【００１４】
請求項４記載の発明によれば、被検者に向けてＸ線を照射するＸ線源と、被検者を通過したＸ線を検出したＸ線を検出し撮影するＸ線撮影手段と、被検者の周りに前記Ｘ線源、Ｘ線撮像手段を一体的に有する旋回アームとを有した撮影系と、前記旋回アームを旋回させるための旋回手段を有し支柱部に対し昇降可能なスライド本体部と、前記スライド本体部の昇降量を算出するスライド本体部昇降量算出部と、を有するデジタルパノラマＸ線撮影装置及び歯科用ＣＴ装置において、前記Ｘ線撮影手段にて取得した画像データを基に、前記スライド本体部昇降量算出部の算出結果を用い、顎関節領域撮影と、歯列領域撮影との各区間に応じてスライド本体部を上下方向にずらしながらパノラマ画像構築を行う構成としているので、大きな頭部又は大きな顎を有する患者の場合においても被曝量の増大を招くことなくＸ線撮影手段の有効受像面高さを必要最低限な高さに保ちつつ被検者Ｍの実際の右顎関節、歯列、左顎関節の配置により的確に対応する配置とした歯列及び左右の顎関節を的確に含めた一連のパノラマ画像を得ることができるデジタルパノラマＸ線撮影装置及び歯科用ＣＴ装置を提供することができる。
【００１５】
請求項５記載の発明によれば、請求項１乃至４のいずれかに記載の発明において、撮影前に顎関節領域が被検者の撮影領域に入るか否かを確認するための位置確認手段を設けているので、大きな頭部又は大きな顎を有する患者の場合においても、歯列から顎関節に至る高さ方向の撮影領域を的確に判定した後、歯列及び左右の顎関節を的確に含めた一連のパノラマ画像を得ることができるデジタルパノラマＸ線撮影装置及び歯科用ＣＴ装置を提供することができる。
【００１６】
請求項６記載の発明によれば、請求項５記載の発明において、レーザビームを用いた位置確認手段により撮影前に顎関節領域が被検者の撮影領域に入るか否かを確認するように構成しているので、大きな頭部又は大きな顎を有する患者の場合においても、歯列から顎関節に至る高さ方向の撮影領域をレーザビーム照射に基づき的確に判定した後、被曝量の増大を招くことなく歯列及び左右の顎関節を的確に含めた一連のパノラマ画像を得ることができるデジタルパノラマＸ線撮影装置及び歯科用ＣＴ装置を提供することができる。
【００１７】
請求項７記載の発明によれば、請求項５記載の発明において、カメラを用いた位置確認手段により撮影前に顎関節領域が被検者の撮影領域に入るか否かを確認するように構成しているので、大きな頭部又は大きな顎を有する患者の場合においても、歯列から顎関節に至る高さ方向の撮影領域をカメラによる撮影画像に基づき的確に判定した後、被曝量の増大を招くことなく歯列及び左右の顎関節を的確に含めた一連のパノラマ画像を得ることができるデジタルパノラマＸ線撮影装置及び歯科用ＣＴ装置を提供することができる。
【図面の簡単な説明】
【００１８】
【図１】図１は本発明の実施例に係るデジタルパノラマＸ線撮影装置の概略構成図である。
【図２】図２は本実施例に係るデジタルパノラマＸ線撮影装置の被検者位置付台における被検者の頭部の位置付状態を示す概略側面図である。
【図３】図３は本実施例に係るデジタルパノラマＸ線撮影装置の被検者位置付台における被検者の頭部の位置付状態を示す概略背面図である。
【図４】図４は本実施例に係るデジタルパノラマＸ線撮影装置の全体構成を示すブロック図である。
【図５】図５は本実施例に係るデジタルパノラマＸ線撮影装置における位置確認手段の一例を示すブロック図である。
【図６】図６は本実施例に係るデジタルパノラマＸ線撮影装置における位置確認手段の他例を示すブロック図である。
【図７】図７は本実施例に係るデジタルパノラマＸ線撮影装置における操作・表示部の操作画面の構成例を示す説明図である。
【図８】図８は本実施例に係るデジタルパノラマＸ線撮影装置により撮影する被検者の歯列及び両顎関節の一部を模式的に示す図である。
【図９】図９は本実施例に係るデジタルパノラマＸ線撮影装置におけるＸ線源、Ｘ線撮影手段による被検者の右顎関節、歯列、右顎関節の撮影状態を模式的に示す図である。
【図１０】図１０は本実施例に係るデジタルパノラマＸ線撮影装置の位置確認手段における被検者の歯列、顎関節に関するスライド本体部の昇降による撮影位置を確認するための動作を示す説明図である。
【図１１】図１１は本実施例に係るデジタルパノラマＸ線撮影装置におけるスライド本体部の昇降を伴う右顎関節、歯列、左顎関節の撮影タイミングを示す図である。
【図１２】図１２は本実施例に係るデジタルパノラマＸ線撮影装置におけるスライド本体部の昇降を伴う右顎関節、歯列、左顎関節の撮影タイミングの他例を示す図である。
【図１３】図１３は本実施例に係るデジタルパノラマＸ線撮影装置におけるスライド本体部の昇降を伴う右顎関節、歯列、左顎関節の撮影動作を示すフローチャートである。
【図１４】図１４は本実施例に係るデジタルパノラマＸ線撮影装置におけるスライド本体部の昇降を伴う右顎関節、歯列、左顎関節の撮影動作の他例を示すフローチャートである。
【図１５】図１５は本実施例に係るデジタルパノラマＸ線撮影装置により作成した右顎関節、歯列、左顎関節を含むパノラマ画像の表示例をトレース図態様で示す図である。
【図１６】図１６は本実施例に係るデジタルパノラマＸ線撮影装置により作成した右顎関節、歯列、左顎関節を含むパノラマ画像の表示例の他例をトレース図態様で示す図である。
【図１７】図１７は本実施例のＸ線撮影手段における二次元Ｘ線センサーと、従来例の二次元Ｘ線センサーとの上下方向の寸法比較図である。
【発明を実施するための形態】
【００１９】
本発明は、Ｘ線撮影手段の有効受像面高さを必要最低限な高さに保ちつつ大きな顎の患者の場合においても被曝量の増大を招くことなく歯列及び左右の顎関節を的確に含めた一連のパノラマ画像を取得できるデジタルパノラマＸ線撮影装置及び歯科用ＣＴ装置を提供するという目的を、被検者に向けてＸ線を照射するＸ線源と、被検者を通過したＸ線を検出したＸ線を検出し撮影するＸ線撮影手段と、被検者の周りに前記Ｘ線源、Ｘ線撮像手段を一体的に有する旋回アームとを有した撮影系と、前記旋回アームを旋回させるための旋回手段を有し支柱部に対し昇降可能なスライド本体部と、を有するデジタルパノラマＸ線撮影装置において、前記スライド本体部とは一体でない被検者位置付台と、スライド本体部との高さ方向の相対位置を変えて一連のパノラマ画像を撮影可能とした構成により実現した。
【実施例】
【００２０】
以下に本発明の実施例に係るデジタルパノラマＸ線撮影装置及び歯科用ＣＴ装置について図面を参照して詳細に説明する。  
【００２１】
本実施例においては、デジタルパノラマＸ線撮影装置及び歯科用ＣＴ装置のうちの、デジタルパノラマＸ線撮影装置を例にとって詳述する。
【００２２】
本実施例に係るデジタルパノラマＸ線撮影装置１は、図１乃至図３に示すように、床面上に垂直配置に立設した支柱部６と、被検者Ｍに向けてＸ線を照射するＸ線源３と、被検者Ｍを通過したＸ線を検出し撮影するＸ線撮影手段４と、前記Ｘ線源３、Ｘ線撮影手段４を所定の間隔をもって垂設するとともに被検者Ｍの周りにこれらを旋回可能とした旋回アーム５とを有した撮影系２と、前記撮影系２を保持しつつ旋回駆動する旋回手段７を有するとともに、前記支柱部６に対し昇降可能に配置したスライド本体部８と、前記スライド本体部８の下方位置において、前記支柱部６に対して昇降可能に配置した前記スライド本体部８とは一体でない被検者位置付台１１と、前記旋回アーム５の下面に配置され、図２に示すように、検者Ｍの頭部前面に対向してスライドしつつ頭部前面の位置決めをするフォアヘッドサポート１２と、図３示すように、頭部側面に対向して開閉しつつ頭部側面の位置決めをするサイドヘッドサポート１３と、を有している。
【００２３】
前記Ｘ線源３は、公知のＸ線管を用いて構成し、Ｘ線撮影手段４は、ＣＭＯＳイメージセンサ、フラットパネル検出器(Flat Panel Detector:ＦＰＤ)等からなる二次元Ｘ線センサー１０を含んで構成している。
【００２４】
そして、二次元Ｘ線センサー１０の上部には、被検者ＭのＸ線撮影位置を確認するための詳細は後述する位置確認手段２７を構成するレーザー光発光部１４を配置し、レーザー光発光部１４より前記被検者位置付台１１上に位置付けられた被検者Ｍの頭部又は顔面、例えば下顎部、耳部等にレーザー光を照射するように構成している。
【００２５】
前記被検者位置付台１１、フォアヘッドサポート１２、サイドヘッドサポート１３による被検者位置付手順については公知であるため詳細説明は省略する。
【００２６】
次に、本実施例に係るデジタルパノラマＸ線撮影装置１の全体構成について図４を参照して説明する。
【００２７】
本実施例に係るデジタルパノラマＸ線撮影装置１は、図４に示すように、このデジタルパノラマＸ線撮影装置１の全体の制御を行う制御部２１と、デジタルパノラマＸ線撮影装置１の各種動作プログラムを格納したプログラムメモリ２２と、前記Ｘ線源３の照射駆動制御を行うＸ線源駆動部２４と、前記Ｘ線撮影手段４における二次元Ｘ線センサー１０の制御及び二次元Ｘ線センサー１０が受像し出力する被検者Ｍを透過Ｘ線情報に対応するフレーム画像情報形態の透過Ｘ線信号を受信し、出力する二次元Ｘ線センサー制御部２５と、被検者Ｍの右顎関節、歯列、左顎関節をＸ線撮影するための旋回アーム５の例えば典型的な旋回角度情報を予め記憶した旋回角度情報記憶部２３と、前記旋回角度情報に基づき前記撮影系２の旋回アーム５を旋回駆動する旋回手段７と、前記スライド本体部８を昇降駆動する図示しないが駆動モータ、昇降駆動機構を含むスライド本体部昇降駆動部２６と、前記レーザー光発光部１４を含む位置確認手段２７と、Ｘ線撮影に伴う各種操作を行う例えばタッチパネル式の操作・表示部２８と、二次元Ｘ線センサー１０からの右顎関節、歯列、左顎関節に対応するフレーム画像情報形態の各透過Ｘ線信号を記憶するフレームメモリ２９と、フレームメモリ２９からの各フレーム画像情報を基に、右顎関節、歯列、左顎関節に対応する各パノラマ画像情報、及び、これらを合成した全顎パノラマ画像情報を作成するパノラマ画像情報作成処理部３０と、各パノラマ画像情報、及び、全顎パノラマ画像情報を記憶するパノラマ画像情報記憶部３１と、各パノラマ画像情報、全顎パノラマ画像情報を可視的に出力する画像表示装置、又は、プリンタのような出力手段３２とを有している。
【００２８】
前記画像表示装置としては、液晶ディスプレイ（ＬＣＤ：Liquid  Crystal  Display）、ＰＤＰ（Plasma  Display  Panel）、ＥＬ（Electronic  Luminescence）等を用いることができる。
【００２９】
次に、前記位置確認手段２７の具体的構成例について、図５を参照して説明する。
【００３０】
前記位置確認手段２７は、前記レーザー光発光部１４と、スライド本体部８の、従って、前記Ｘ線源３、Ｘ線撮影手段４の昇降量（上下量：例えば１０ｃｍ、１２ｃｍ、１５ｃｍ等）を算出するスライド本体部昇降量算出部４１と、スライド本体部昇降量算出部４１の算出結果である昇降量を記憶する昇降量記憶部４２と、を具備している。
【００３１】
前記位置確認手段２７に替えて、図６に示すような位置確認手段２７Ａを採用することも可能である。
【００３２】
この位置確認手段２７Ａは、前記支柱部６における前記被検者位置付台１１に前方に配置され、被検者Ｍの顔画像を撮影するカメラ４３と、スライド本体部８の、従って、前記Ｘ線源３、Ｘ線撮影手段４の昇降量（上下量：例えば１０ｃｍ、１２ｃｍ、１５ｃｍ等）をカメラ４３により撮影した被検者Ｍの顔の画像を基に撮影倍率を加味して解析し算出するスライド本体部昇降量解析部４４と、スライド本体部昇降量算出部４１の解析結果である昇降量を記憶する昇降量記憶部４５と、とにより構成することができる。
【００３３】
次に、本実施例に係るデジタルパノラマＸ線撮影装置１の操作・表示部２８の構成例について図７を参照して参照して説明する。
【００３４】
図７は操作・表示部２８の主要部を示すものであり、この操作・表示部２８は、例えばタッチパネル式に構成され、術者の操作により前記Ｘ線源３のＸ線照射条件設定、スライド本体部８の昇降動作設定、被検者Ｍの撮影対象領域の撮影区間設定等を行うように構成している。
【００３５】
すなわち、前記操作・表示部２８の操作画面には、図７に示すように、Ｘ線照射設定、すなわち、前記Ｘ線源３を構成するＸ線管の管電圧を設定する管電圧設定ボタン、電流を設定する?電流設定ボタン、Ｘ線照射回数設定ボタン、撮影開始ボタン、撮影停止ボタン等を備えるＸ線照射設定部、前記スライド本体部８を上昇させるための上昇ボタン、下降させるための下降ボタンを備える昇降動作設定部、被検者Ｍの撮影対象領域を、右顎関節区間→歯列区間→左顎関節区間、右顎関節区間のみ、歯列区間のみ、左顎関節区間のみ等の各撮影モード設定するための各設定ボタンを備える撮影区間設定部等を有している。上述した右顎関節区間→歯列区間→左顎関節区間の設定モードでは、右顎関節区間→歯列区間→左顎関節区間を連続的に変化させて行う設定モードも含んでいる。
【００３６】
図８は本実施例に係るデジタルパノラマＸ線撮影装置１により撮影する被検者Ｍの歯列及び両顎関節の一部を模式的に示すものである。
【００３７】
本実施例において、被検者Ｍの全顎のパノラマ画像を得るための撮影区間を、図９に無示す右顎関節区間、歯列区間、及び、左顎関節区間のように定義するものである。
【００３８】
図９は本実施例に係るデジタルパノラマＸ線撮影装置１におけるＸ線源３、Ｘ線撮影手段４による被検者Ｍの右顎関節、歯列、右顎関節のＸ線撮影状態を模式的に示すものである。
【００３９】
尚、Ｘ線源３、Ｘ線撮影手段４による被検者Ｍの顎領域のＸ線撮影時の撮影軌道は、既に１軸撮影軌道、多軸撮影軌道等種々提案されているが、本実施例においては簡略的に１軸撮影軌道によりＸ線撮影を行うものとして以下の説明を行う。
【００４０】
次に、図１０を参照して、本実施例に係るデジタルパノラマＸ線撮影装置１の前記位置確認手段２７による被検者Ｍの歯列、左右の顎関節に関するスライド本体部８の昇降による撮影位置、特に上下方向の撮影位置を確認し、Ｘ線撮影手段４に配置した上下方向のＸ線透過画像情報の受像サイズの小さい二次元Ｘ線センサー１０により被検者Ｍの歯列区間、右顎関節区間及び左顎関節区間が連続した的確なＸ線透過画像情報を取得するための動作について説明する。
【００４１】
図１０左欄に示すように、被検者Ｍの顔を固定状態に維持し、前記操作・表示部２８の下降ボタンを操作し、前記スライド本体部昇降駆動部２６によりスライド本体部８を下降駆動して、前記Ｘ線源３、Ｘ線撮影手段４を被検者Ｍの顔の側方に配置した状態でレーザー光発光部１４から被検者Ｍの顔の例えば下顎部にレーザー光を当てた（照射した）ときのスライド本体部８の位置を下位置とする。
【００４２】
次いで図１０右欄に示すように、前記操作・表示部２８の下降ボタンを操作し、前記スライド本体部昇降駆動部２６によりスライド本体部８を上昇駆動し被検者Ｍの顔の例えば耳部にレーザー光を当てた（照射した）ときのスライド本体部８の位置を上位置とする。
【００４３】
このときのスライド本体部８の、従って、前記Ｘ線源３、Ｘ線撮影手段４の昇降量（上下量：例えば１０ｃｍ、１２ｃｍ、１５ｃｍ等）をスライド本体部昇降量算出部４１により算出する。
【００４４】
そして、前記スライド本体部昇降量算出部４１の算出結果である昇降量を昇降量記憶部４２に記憶する。
【００４５】
また、前記位置確認手段２７Ａの場合には、上述した場合と同様、被検者Ｍの顔を固定状態に維持し、前記スライド本体部昇降駆動部２６によりスライド本体部８を下降駆動して、前記Ｘ線源３、Ｘ線撮影手段４を被検者Ｍの顔の例えば下顎部の側方に配置した状態でカメラ４３により被検者Ｍの顔画像を撮影し、この時のスライド本体部８の位置を下位置とする。
【００４６】
次いで前記スライド本体部昇降駆動部２６によりスライド本体部８を上昇駆動し前記Ｘ線源３、Ｘ線撮影手段４を被検者Ｍの顔の例えば耳部の側方に配置した状態でカメラ４３により被検者Ｍの顔画像を撮影し、この時のスライド本体部８の位置を上位置とする。
【００４７】
スライド本体部昇降量解析部４４により上述のように撮影した被検者Ｍの顔の各画像の相違から撮影倍率を加味して解析し、スライド本体部８の、従って、前記Ｘ線源３、Ｘ線撮影手段４の昇降量（上下量：例えば１０ｃｍ、１２ｃｍ、１５ｃｍ等）を算出する。そして、スライド本体部昇降量算出部４１の解析結果である昇降量を昇降量記憶部４５に記憶する。
【００４８】
次に、図１１、図１３を参照して、本実施例に係るデジタルパノラマＸ線撮影装置１により被検者Ｍの全顎のパノラマ画像を得るための一連の動作について説明する。
【００４９】
術者は、既述したような動作で被検者Ｍの頭部の位置決めを実行し、さらに、前記位置確認手段２７又は前記位置確認手段２７Ａにより昇降量を求めた後、撮影区間設定部の設定ボタンを操作し、被検者Ｍの右顎関節区間→歯列区間→左顎関節区間の撮影モードとし、また、Ｘ線照射設定部により、Ｘ線管の管電圧、管電流、Ｘ線照射回数等を設定する。
【００５０】
そして、昇降動作設定部の上昇ボタンを操作し、図１１に示すように、前記スライド本体部８を前記Ｘ線源３、二次元Ｘ線センサー１０により被検者Ｍの右顎関節のＸ線撮影が可能な上位置となるようにセットする。
【００５１】
この状態で、術者は、前記撮影開始ボタンを押下する。
【００５２】
これにより、旋回手段７は、前記制御部２１の制御の基に、旋回角度情報記憶部２３に記憶した旋回角度情報を参照して前記撮影系２の旋回アーム５を例えば被検者Ｍの右顎関節区間に相当する角度θ１分旋回駆動する。
【００５３】
同時に前記Ｘ線管から被検者Ｍの右顎関節領域に向けてＸ線が所定の照射タイミングで照射され、被検者Ｍを透過した透過Ｘ線情報は、二次元Ｘ線センサー１０により経時的に受像されて、さらに、フレーム画像情報形態の透過Ｘ線信号として時系列で出力される。
【００５４】
この被検者Ｍの右顎関節区間に対応するフレーム画像情報形態の透過Ｘ線信号は、前記フレームメモリ２９に時系列で記憶されていく。
【００５５】
前記旋回アーム５が角度θ１分旋回駆動された段階で被検者Ｍの右顎関節区間に対するＸ線撮影が終了する。
【００５６】
次に、図１１に示すように、制御部２１の制御の基に、前記スライド本体部昇降駆動部２６が動作し、前記位置確認手段２７又は前記位置確認手段２７Ａにより求めた昇降量を参照して、前記スライド本体部８を下降させ、このスライド本体部８を前記Ｘ線源３、二次元Ｘ線センサー１０により被検者Ｍの歯列区間のＸ線撮影が可能な下位置となるようにセットする。
【００５７】
さらに、前記旋回手段７は、前記制御部２１の制御の基に、旋回角度情報記憶部２３に記憶した旋回角度情報を参照して前記撮影系２の旋回アーム５を例えば被検者Ｍの歯列区間に相当する角度θ２分旋回駆動する。
【００５８】
同時に前記Ｘ線管から被検者Ｍの歯列領域に向けてＸ線が所定の照射タイミングで照射され、被検者Ｍを透過した透過Ｘ線情報は、二次元Ｘ線センサー１０により経時的に受像されて、さらに、フレーム画像情報形態の透過Ｘ線信号として時系列で出力される。
【００５９】
この被検者Ｍの歯列区間に対応するフレーム画像情報形態の透過Ｘ線信号は、前記フレームメモリ２９に時系列で記憶されていく。
【００６０】
前記旋回アーム５が角度θ２分旋回駆動された段階で被検者Ｍの歯列区間に対するＸ線撮影が終了する。
【００６１】
次に、図１１に示すように、制御部２１の制御の基に、前記スライド本体部昇降駆動部２６が動作し、前記位置確認手段２７又は前記位置確認手段２７Ａにより求めた昇降量を参照して、前記スライド本体部８を上昇させ、前記スライド本体部８を前記Ｘ線源３、二次元Ｘ線センサー１０により被検者Ｍの左顎関節のＸ線撮影が可能な上位置にセットする。
【００６２】
さらに、前記旋回手段７は、前記制御部２１の制御の基に、旋回角度情報記憶部２３に記憶した旋回角度情報を参照して前記撮影系２の旋回アーム５を例えば被検者Ｍの左顎関節区間に相当する角度θ３分旋回駆動する。
【００６３】
同時に、前記Ｘ線管から被検者Ｍの右顎関節領域に向けてＸ線が所定の照射タイミングで照射され、被検者Ｍを透過した透過Ｘ線情報は、二次元Ｘ線センサー１０により経時的に受像されて、さらに、フレーム画像情報形態の透過Ｘ線信号として時系列で出力される。
【００６４】
この被検者Ｍの左顎関節区間に対応するフレーム画像情報形態の透過Ｘ線信号は、前記フレームメモリ２９に時系列で記憶されていく。前記旋回アーム５が角度θ２分旋回駆動された段階で被検者Ｍの左顎関節区間に対するＸ線撮影が終了する。
【００６５】
次に、前記パノラマ画像情報作成処理部３０は、前記制御部２１の制御の基に、前記フレームメモリ２９から前記各フレーム画像情報を読み出し、これらを公知の手法で画像再構成処理を行い、被検者Ｍの右顎関節、歯列、左顎関節に対応する各パノラマ画像情報、及び、これらを合成した一連の全顎パノラマ画像情報を作成し、さらに、前記パノラマ画像情報記憶部３１に記憶する。
【００６６】
この場合、前記パノラマ画像情報作成処理部３０は、合成した一連の全顎パノラマ画像情報を作成するに際して、前記制御部２１の制御の基に、前記昇降量を参照し、歯列の両側の右顎関節、左顎関節のパノラマ画像情報が、被検者Ｍの実際の右顎関節、歯列、左顎関節の配置に対応する配置となるように再構成処理を行う。
【００６７】
このようにして作成され前記パノラマ画像情報記憶部３１に記憶された被検者Ｍの右顎関節、歯列、左顎関節に対応する各パノラマ画像情報、及び、これらを合成した一連の全顎パノラマ画像情報は、前記制御部２１の制御の基に、出力手段３２により可視的に出力される。
【００６８】
図１５は、被検者Ｍの右顎関節、歯列、左顎関節に対応する各パノラマ画像情報、及び、これらを合成した一連の全顎パノラマ画像情報を出力手段３２である画像表示装置によりトレース図態様で概略的に表示した例を示すものである。
【００６９】
この他、前記操作・表示手段２８の画面に同様に表示したり、前記出力手段３２であるプリンタにより紙面上に概略的に表示することももちろん可能である。
【００７０】
次に、図１２、図１４を参照して、本実施例に係るデジタルパノラマＸ線撮影装置１により被検者Ｍの全顎のパノラマ画像を、前記スライド本体部８を上下方向にずらしながら構築をするための一連の動作について説明する。
【００７１】
術者は、既述したような動作で被検者Ｍの頭部の位置決めを実行し、さらに、前記位置確認手段２７又は前記位置確認手段２７Ａにより昇降量を求めた後、撮影区間設定部の設定ボタンを操作し、被検者Ｍの右顎関節区間→歯列区間→左顎関節区間を連続的に撮影する撮影モードとし、また、Ｘ線照射設定部により、Ｘ線管の管電圧、管電流、Ｘ線照射回数等を設定する。
【００７２】
そして、昇降動作設定部の上昇ボタンを操作し、図１２に示すように、前記スライド本体部８を前記Ｘ線源３、二次元Ｘ線センサー１０により被検者Ｍの右顎関節のＸ線撮影が可能な上位置となるようにセットする。
【００７３】
この状態で、術者は、前記撮影開始ボタンを押下する。
【００７４】
これにより、旋回手段７は、前記制御部２１の制御の基に、旋回角度情報記憶部２３に記憶した旋回角度情報を参照して前記撮影系２の旋回アーム５を例えば被検者Ｍの右顎関節区間に相当する角度θ１分旋回駆動する。
【００７５】
同時に前記Ｘ線管から被検者Ｍの右顎関節領域に向けてＸ線が所定の照射タイミングで照射される。
【００７６】
次いで、図１２に示すように、前記スライド本体部８を昇降量分連続的に下降させつつ前記Ｘ線管からＸ線を照射し、前記スライド本体部８を被検者Ｍの歯列区間撮影位置（下位置）に至るまで下降させる。
【００７７】
次に、前記旋回手段７は、前記制御部２１の制御の基に、旋回角度情報記憶部２３に記憶した旋回角度情報を参照して前記撮影系２の旋回アーム５を被検者Ｍの歯列区間に相当する角度θ２分旋回駆動し、同時にＸ線管から被検者Ｍの歯列区間にＸ線を照射する。
【００７８】
次に、図１２に示すように、前記スライド本体部８を昇降量分連続的に上昇させつつ前記Ｘ線管からＸ線を照射し、前記スライド本体部８を被検者Ｍの左顎関節区間撮影位置（上位置）に至るまで上昇させる。
【００７９】
さらに、前記旋回手段７は、前記制御部２１の制御の基に、旋回角度情報記憶部２３に記憶した旋回角度情報を参照して前記撮影系２の旋回アーム５を被検者Ｍの左顎関節区間に相当する角度θ３分旋回駆動し、同時にＸ線管から被検者Ｍの左顎関節区間にＸ線を照射する。
【００８０】
上述した各区間における被検者Ｍを透過した透過Ｘ線情報は、二次元Ｘ線センサー１０により経時的に受像されて、さらに、フレーム画像情報形態の透過Ｘ線信号として時系列で出力され、前記前記フレームメモリ２９に時系列で記憶されていく。
【００８１】
次に、前記パノラマ画像情報作成処理部３０は、前記制御部２１の制御の基に、前記フレームメモリ２９から前記各フレーム画像情報を読み出し、前記スライド本体部昇降量算出部４１又はスライド本体部昇降量解析部４４の処理結果データを参照しつつ前記各区間に応じて前記各フレーム画像情報を上方又は下方にずらして結合し一連の全顎パノラマ画像情報を作成し、さらに、前記パノラマ画像情報記憶部３１に記憶する。
【００８２】
この場合、前記パノラマ画像情報作成処理部３０は、合成した一連の全顎パノラマ画像情報を作成するに際して、前記制御部２１の制御の基に、前記昇降量を参照し、歯列の両側の右顎関節、左顎関節のパノラマ画像情報が、被検者Ｍの実際の右顎関節、歯列、左顎関節の配置に対応する配置となるように再構成処理を行う。
【００８３】
このようにして作成され前記パノラマ画像情報記憶部３１に記憶された被検者Ｍの右顎関節、歯列、左顎関節に対応する各パノラマ画像情報、及び、これらを合成した一連の全顎パノラマ画像情報は、前記制御部２１の制御の基に、出力手段３２により可視的に出力される。
【００８４】
図１６は、前記スライド本体部８を上下方向にずらしながら撮影した場合の被検者Ｍの右顎関節、歯列、左顎関節に対応する各パノラマ画像情報、及び、これらを合成した一連の全顎パノラマ画像情報を出力手段３２である画像表示装置によりトレース図態様で概略的に表示した例を示すものである。
【００８５】
この他、前記操作・表示手段２８の画面に同様に表示したり、前記出力手段３２であるプリンタにより紙面上に概略的に表示することももちろん可能である。
【００８６】
尚、上述した実施例では、前記旋回アーム５と、被検者Ｍの頭部との高さ方向の相対位置をスライド本体部８の高さ位置を変更して替えるようにしたが、前記旋回アーム５を固定し、被検者Ｍの頭部の高さ位置を変更することでこれらの相対位置を変えるようにしてもよい。
【００８７】
以上説明した本実施例によれば、前記旋回アーム５と、被検者Ｍの頭部との高さ方向の相対位置を、スライド本体部８の高さ位置を変更して、又は、旋回アーム５を固定し、被検者Ｍの頭部の高さ位置を変更することで変えるように構成しているので、大きな頭部又は大きな顎を有する被検者Ｍのような場合でも、二次元Ｘ線センサー１０の有効受像面高さを必要最低限な高さに保ちつつ、すなわち、二次元Ｘ線センサー１０として高さ方向の寸法が小さいものを用いて、当該被検者Ｍの歯列及び左右の顎関節を的確に含めた一連のパノラマ画像を取得できるデジタルパノラマＸ線撮影装置１を実現することができる。
【００８８】
すなわち、図１７に示すように、従来においては被検者Ｍの歯列及び左右の顎関節を的確に含めた一連のパノラマ画像を取得するためには二次元Ｘ線センサー１０の高さ方向の寸法Ｌ２として、被検者Ｍの下顎部から耳部までに対応するようなものが必要であったが、本実施例のデジタルパノラマＸ線撮影装置１の場合には、二次元Ｘ線センサー１０の高さ方向の寸法Ｌ１として被検者Ｍの下顎部から頬部に対応するようなもの（Ｌ１＜Ｌ２）を採用することが可能となる。
【００８９】
また、同時に二次元Ｘ線センサー１０として高さ方向の寸法Ｌ１が小さいものを用いることに関連して、Ｘ線照射量の低減、被検者Ｍの被曝量の軽減をも図ることができるデジタルパノラマＸ線撮影装置１を実現することができる。
【００９０】
以上説明した実施例では、デジタルパノラマＸ線撮影装置を主にして説明したが、デジタルパノラマ画像撮影機能を有する歯科用ＣＴ装置の場合も上述した場合と同様な構成として実施可能である。
【産業上の利用可能性】
【００９１】
本発明は、上述したデジタルパノラマＸ線撮影装置はもちろんのここと、パノラマＸ線撮影モードを有するコーンビームＸ線ＣＴ装置、その他各種歯科用Ｘ線撮影装置について広範に適用可能である。
【符号の説明】
【００９２】
１    デジタルパノラマＸ線撮影装置
２    撮影系
３    Ｘ線源
４    Ｘ線撮影手段
５    旋回アーム
６    支柱部
７    旋回手段
８    スライド本体部
１０    ２次元Ｘ線センサー
１１    被検者位置付台
１２    フォアヘッドサポート
１３    サイドヘッドサポート
１４    レーザー光発光部
２１    制御部
２２    プログラムメモリ
２３    旋回角度情報記憶部
２４    Ｘ線源駆動部
２５    二次元Ｘ線センサー制御部
２６    スライド本体部昇降駆動部
２７    位置確認手段
２７Ａ  位置確認手段
２８    操作・表示部
２９    フレームメモリ
３０    パノラマ画像情報作成処理部
３１    パノラマ画像情報記憶部
３２    出力手段
４１    スライド本体部昇降量算出部
４２    昇降量記憶部
４３    カメラ
４４    スライド本体部昇降量解析部
４５    昇降量記憶部
【図１】
2015188611.tif 000003
【図２】
2015188611.tif 000004
【図３】
2015188611.tif 000005
【図４】
2015188611.tif 000006
【図５】
2015188611.tif 000007
【図６】
2015188611.tif 000008
【図７】
2015188611.tif 000009
【図８】
2015188611.tif 000010
【図９】
2015188611.tif 000011
【図１０】
2015188611.tif 000012
【図１１】
2015188611.tif 000013
【図１２】
2015188611.tif 000014
【図１３】
2015188611.tif 000015
【図１４】
2015188611.tif 000016
【図１５】
2015188611.tif 000017
【図１６】
2015188611.tif 000018
【図１７】
2015188611.tif 000019